(57)【要約】      （修正有）【課題】鉄筋の鉄筋下地の溶接が不要なコンクリート止めに用いる鉄筋保持具を提供する。【解決手段】コンクリート止めに用いる鉄筋保持具Ａは、幅広の平板に複数の円形穴１１を穿設したコ字状の金属柱１と、金属柱１に嵌め込むための連通穴２６と、ネジ穴と、挿通部を挿通する太径鉄筋１０を固定するための太鉄筋固定ネジ２５とを有し、金属柱の上部と下部に配される太径鉄筋固定金具２と、中径鉄筋３１を嵌め込んで固定する案内溝を有する１組の側板と、ネジ穴付きの背板とをコ字状に曲げ、背板のネジ穴に螺合する金具固定用の固定ネジ３８とを有し、２つの太鉄筋固定金具の２間に複数個、配される中径鉄筋固定金具３とを備える。鉄筋固定金具により、中径鉄筋３１および太径鉄筋１０を金属柱１に固定するだけで良いので、熟練を要しないとともに、溶接による母材の強度低下を招かない。【選択図】図３
0003194497.tif 000002
【実用新案登録請求の範囲】
【請求項１】
対向する幅狭の平板と幅広の平板とをコ字状に曲げ、前記幅広の平板に複数の円形穴を穿設した金属柱と、
前記金属柱に嵌め込むための断面長方形の連通穴と、金具前面板に形成されるネジ穴と、該ネジ穴に螺合し、挿通部を挿通する太径鉄筋を固定するための太鉄筋固定ネジとを有し、前記金属柱の上部と下部に配される太径鉄筋固定金具と、
中径鉄筋を嵌め込んで固定する案内溝を有する１組の側板と、ネジ穴付きの背板とをコ字状に曲げ、前記背板の前記ネジ穴に螺合する金具固定用の固定ネジとを有し、２つの太鉄筋固定金具の間に複数個、配される中径鉄筋固定金具とを備えたコンクリート止めに用いるコンクリート止めに用いる鉄筋保持具。
【請求項２】
コンクリート止めに用いる鉄筋保持具は、基礎から所定間隔ごとに立設され、
小径鉄筋が、各コンクリート止めに用いる鉄筋保持具の前記金属柱の前記円形穴に挿通されることを特徴とする請求項１に記載のコンクリート止めに用いる鉄筋保持具。
【考案の詳細な説明】
【技術分野】
【０００１】
本考案は、コンクリート止めに用いる鉄筋保持具に関する。
【背景技術】
【０００２】
従来より、鉄筋用結束線で結束したり、溶接して固定する技術が知られている（特許文献１）。
【先行技術文献】
【特許文献】
【０００３】
【特許文献１】実用新案登録第３１１７４０３号
【考案の概要】
【考案が解決しようとする課題】
【０００４】
鉄筋を溶接して固定する方法は、熟練が必要であるとともに、時間もかかる、
本考案の目的は、鉄筋の鉄筋下地の溶接が不要なコンクリート止めに用いる鉄筋保持具の提供にある。
【課題を解決するための手段】
【０００５】
（請求項１について）
金属柱は、幅広の平板に複数の円形穴が穿設され、対向する幅狭の平板と幅広の平板とをコ字状に曲げている。
【０００６】
太径鉄筋固定金具は、金属柱に嵌め込むための断面長方形の連通穴と、金具前面に形成されるネジ穴と、ネジ穴に螺合し、挿通部を挿通する太径鉄筋を固定するための太鉄筋固定ネジとを有し、金属柱の上部と下部に配されている。
【０００７】
中径鉄筋固定金具は、中径鉄筋を嵌め込んで固定する案内溝を有する１組の側板と、ネジ穴付きの背板とをコ字状に曲げ、背板のネジ穴に螺合する金具固定用の固定ネジとを有し、２つの太鉄筋固定金具の間に複数個、配されている。
【０００８】
基礎の上部と下部に太径鉄筋が配され、この２本の太径鉄筋間には、複数本の中径鉄筋が配されている。
基礎の下部と上部の太径鉄筋に、太径鉄筋固定金具の挿通部を挿通し、太鉄筋固定ネジを締めつけ、太径鉄筋固定金具を太径鉄筋に固定する。
各太径鉄筋固定金具の連通穴へ金属柱を嵌め込む。
各中径鉄筋に中径鉄筋固定金具の案内溝を嵌め込み、金具固定ネジを締めつけて中径鉄筋固定金具を金属柱に固定する。
【０００９】
コンクリート止めに用いる鉄筋保持具は、鉄筋固定金具により、中径鉄筋および太径鉄筋を金属柱に固定することができる。このため、従来必要であった、鉄筋の鉄筋下地の溶接が不要である。また、補強筋が不要である。
鉄筋の鉄筋下地の溶接が不要であるので、工期の時間短縮が図れる。
中径鉄筋および太径鉄筋を鉄筋固定金具で金属柱に固定しているので、溶接による母材の強度低下を招かない。
鉄筋固定金具により、中径鉄筋および太径鉄筋を金属柱に固定するだけで良いので、熟練を要しない。
【００１０】
（請求項２について）
コンクリート止めに用いる鉄筋保持具が基礎から所定間隔ごとに立設され、各コンクリート止めに用いるコンクリート止めに用いる鉄筋保持具の金属柱の円形穴に小径鉄筋を挿通している。
各金属柱の円形穴に小径鉄筋を挿通するだけで良いので、作業人の熟練を要しないとともに、鉄筋構造体の強度を高くできる。
【図面の簡単な説明】
【００１１】
【図１】本考案の実施例１に係るコンクリート止めに用いる鉄筋保持具を用いて鉄筋構造体を組み付ける際の工程図である。
【図２】本考案の実施例１に係るコンクリート止めに用いる鉄筋保持具を用いて鉄筋構造体を組み付ける際の工程図である。
【図３】本考案の実施例１に係るコンクリート止めに用いる鉄筋保持具の説明図である。
【図４】本考案の実施例１に係るコンクリート止めに用いる鉄筋保持具を用いて鉄筋構造体を組み付ける際の工程図である。
【図５】本考案の実施例１に係るコンクリート止めに用いる鉄筋保持具を用いて鉄筋構造体を組み付ける際の工程図である。
【図６】本考案の実施例１に係るコンクリート止めに用いる鉄筋保持具を用いて鉄筋構造体を組み付ける際の工程図である。
【実施例１】
【００１２】
本考案の実施例１（請求項１、２に対応）を図１〜図６に基づいて説明する。
図に示すコンクリート止めに用いる鉄筋保持具Ａは、基礎から所定間隔で立設される金属柱１と、太径鉄筋１０を固定するための太径鉄筋固定金具２と、中径鉄筋３１を固定するための中径鉄筋固定金具３とを備える。
【００１３】
金属柱１は、幅広の平板に複数の円形穴１１が穿設され、対向する幅狭の平板部１２、１２と幅広の平板部１３とをコ字状に曲げて一体に形成している。
なお、金属柱１の下部に太径鉄筋固定金具２が配設できない場合に備え、金属柱１の下端にアンカー板１４がネジ止め可能である（図２参照）。
【００１４】
太径鉄筋固定金具２は、対向する金具上板面板２１および金具下板面板２２と、ネジ穴２３を形成した金具前面板２４とをコ字状に曲げて一体に形成することにより、太径鉄筋３１を挿通する挿通部２０を形成している。この太径鉄筋固定金具２は、金属柱１の上部と下部に、１個ずつ配設される（図３参照）。
【００１５】
太径鉄筋固定金具２のネジ穴２３には、挿通部２０を挿通する太径鉄筋３１を固定するための太鉄筋固定ネジ２５が螺合されている。
金具上面板２１および金具下面板２２には、金属柱１を嵌め込むための断面長方形の穴２６、２６（連通穴）が形成されている（図１参照）。
【００１６】
中径鉄筋固定金具３は、中径鉄筋３１を嵌め込んで固定する案内溝３２を有する１組の側板３３、３４と、ネジ穴３５付きの背板３６とをコ字状に曲げて一体に形成し、背板３６のネジ穴３７に螺合する金具固定用の固定ネジ３８とを有し、２つの太鉄筋固定金具２、２の間に四個、配されている（図２、３参照）。
【００１７】
つぎに、コンクリート止めに用いる鉄筋保持具Ａを用いた、コンクリート打ちについて説明する。
（１）図１の（ａ）に示す如く、基礎４の上部と下部に太径鉄筋１０、１０が水平に配され、この２本の太径鉄筋１０の間には、四本の中径鉄筋３１、３１、…３１が配されている。
基礎４の下部と上部の太径鉄筋１０、１０に、太径鉄筋固定金具２の挿通部２０を挿通させ、太鉄筋固定ネジ２５を締めつけ、太径鉄筋固定金具２を太径鉄筋１０に固定する｛図１の（ｂ）参照｝。
【００１８】
（２）図１の（ｂ）、（ｃ）に示す如く、上側の太径鉄筋固定金具２の金具上面・下面板２１、２２の穴２６、２６へ金属柱１を、下側の太径鉄筋固定金具２の金具上面・下面板２１、２２の穴２６、２６まで貫通する様に嵌め込む。
【００１９】
（３）金属柱１のアンカー板１４を基礎４にボルトで固定する｛図２の（ａ）参照｝。
なお、金属柱１は、生コンクリートの打ち込み幅９０ｃｍに対して３０ｃｍ毎に使い、合計四本、使用する。
【００２０】
（４）四本の中径鉄筋３１、３１、…３１に、中径鉄筋固定金具３の案内溝３２を嵌め込み、固定ネジ３８を締めつけて中径鉄筋固定金具３を金属柱１に固定する｛図２の（ａ）、（ｂ）、図３参照｝。
【００２１】
（５）四本のコンクリート止めに用いる鉄筋保持具Ａの各金属柱１の円形穴１１（１７個）に小径鉄筋５１（１７本）を挿通する｛図４の（ａ）、（ｂ）参照｝。
【００２２】
（６）打ち込む生コンクリートが所定容積以内になる様に、仕切り用の網６を針金で結束して取り付ける（図６参照）。
（７）網６内の区画へ生コンクリートを流し込む。
【００２３】
本実施例のコンクリート止めに用いる鉄筋保持具Ａは、下記の利点を有する。
コンクリート止めに用いる鉄筋保持具Ａは、太径鉄筋固定金具２および中径鉄筋固定金具３を用いて、太径鉄筋２１および中径鉄筋３１を金属柱１に固定している。
このため、鉄筋骨組内への生コンクリートの打ち込み作業の際に、従来必要であった、鉄筋下地への鉄筋の溶接が不要である。また、鉄筋下地への鉄筋の溶接が不要であるので、生コンクリートの打ち込み作業にかかる全工期の時間短縮が図れる。
【００２４】
コンクリート止めに用いる鉄筋保持具Ａは、中径鉄筋３１および太径鉄筋２１を、太径鉄筋固定金具２および中径鉄筋固定金具３を用いて、太径鉄筋２１および中径鉄筋３１を金属柱１に固定している。このため、コンクリート止めに用いる鉄筋保持具Ａを用いて施工した鉄筋構造体は、溶接による母材の強度低下を招かない。
【００２５】
コンクリート止めに用いる鉄筋保持具Ａは、太径鉄筋固定金具２および中径鉄筋固定金具３により、太径鉄筋２１および中径鉄筋３１を金属柱１に固定するだけで良い。このため、鉄筋骨組を施工する際に熟練を要しない。また、補強筋が不要である。
【００２６】
コンクリート止めに用いる鉄筋保持具Ａが基礎から所定間隔ごとに立設され、各コンクリート止めに用いるコンクリート止めに用いる鉄筋保持具Ａの金属柱１の円形穴１１に小径鉄筋５１を挿通している。
各金属柱１の円形穴１１に小径鉄筋を挿通するだけで良いので、作業人の熟練を要しないとともに、溶接による母材の強度低下を招かない。
【符号の説明】
【００２７】
Ａ  コンクリート止めに用いる鉄筋保持具
１  金属柱
２  太径鉄筋固定金具
３  中径鉄筋固定金具  
１０  太径鉄筋
１１  円形穴
１２、１３  平板
１４  アンカー板
２３  ネジ穴
２５  太鉄筋固定ネジ
２６  連通穴
３１  中径鉄筋
３２  案内溝
３３、３４  側板
３５  ネジ穴
３６  背板
３８  固定ネジ
５１  小径鉄筋
【図１】
0003194497.tif 000003
【図２】
0003194497.tif 000004
【図３】
0003194497.tif 000005
【図４】
0003194497.tif 000006
【図５】
0003194497.tif 000007
【図６】
0003194497.tif 000008
【手続補正書】
【提出日】平成26年9月19日(2014.9.19)
【手続補正１】
【補正対象書類名】実用新案登録請求の範囲
【補正対象項目名】全文
【補正方法】変更
【補正の内容】
【実用新案登録請求の範囲】
【請求項１】
対向する幅狭の平板と幅広の平板とをコ字状に曲げ、前記幅広の平板に複数の円形穴を穿設した金属柱と、
断面長方形の連通穴を形成した対向する金具上板面板および金具下板面板と、ネジ穴を形成した金具前面板とをコ字状に曲げて挿通部を形成し、該挿通部を挿通する太径鉄筋を固定するための太鉄筋固定ネジを前記ネジ穴に螺合させ、前記金属柱の上部と下部に配される太径鉄筋固定金具と、
中径鉄筋を嵌め込んで固定する案内溝を有する１組の側板と、ネジ穴付きの背板とをコ字状に曲げ、前記背板の前記ネジ穴に螺合する金具固定用の固定ネジとを有し、２つの太鉄筋固定金具の間に複数個、配される中径鉄筋固定金具とを備えたコンクリート止めに用いる鉄筋保持具。
【請求項２】
コンクリート止めに用いる鉄筋保持具は、基礎から所定間隔ごとに立設され、
小径鉄筋が、各コンクリート止めに用いる鉄筋保持具の前記金属柱の前記円形穴に挿通されることを特徴とする請求項１に記載のコンクリート止めに用いる鉄筋保持具。
【手続補正２】
【補正対象書類名】明細書
【補正対象項目名】全文
【補正方法】変更
【補正の内容】
【考案の詳細な説明】
【技術分野】
【０００１】
本考案は、コンクリート止めに用いる鉄筋保持具に関する。
【背景技術】
【０００２】
従来より、鉄筋用結束線で結束したり、溶接して固定する技術が知られている（特許文献１）。
【先行技術文献】
【特許文献】
【０００３】
【特許文献１】実用新案登録第３１１７４０３号
【考案の概要】
【考案が解決しようとする課題】
【０００４】
鉄筋を溶接して固定する方法は、熟練が必要であるとともに、時間もかかる、
本考案の目的は、鉄筋の鉄筋下地の溶接が不要なコンクリート止めに用いる鉄筋保持具の提供にある。
【課題を解決するための手段】
【０００５】
（請求項１について）
金属柱は、幅広の平板に複数の円形穴が穿設され、対向する幅狭の平板と幅広の平板とをコ字状に曲げている。
【０００６】
太径鉄筋固定金具は、断面長方形の連通穴を形成した対向する金具上板面板および金具下板面板と、ネジ穴を形成した金具前面板とをコ字状に曲げて挿通部を形成し、挿通部を挿通する太径鉄筋を固定するための太鉄筋固定ネジをネジ穴に螺合させ、金属柱の上部と下部に配されている。
【０００７】
中径鉄筋固定金具は、中径鉄筋を嵌め込んで固定する案内溝を有する１組の側板と、ネジ穴付きの背板とをコ字状に曲げ、背板のネジ穴に螺合する金具固定用の固定ネジとを有し、２つの太鉄筋固定金具の間に複数個、配されている。
【０００８】
基礎の上部と下部に太径鉄筋が配され、この２本の太径鉄筋間には、複数本の中径鉄筋が配されている。
基礎の下部と上部の太径鉄筋に、太径鉄筋固定金具の挿通部を挿通し、太鉄筋固定ネジを締めつけ、太径鉄筋固定金具を太径鉄筋に固定する。
各太径鉄筋固定金具の連通穴へ金属柱を嵌め込む。
各中径鉄筋に中径鉄筋固定金具の案内溝を嵌め込み、金具固定ネジを締めつけて中径鉄筋固定金具を金属柱に固定する。
【０００９】
コンクリート止めに用いる鉄筋保持具は、鉄筋固定金具により、中径鉄筋および太径鉄筋を金属柱に固定することができる。このため、従来必要であった、鉄筋の鉄筋下地の溶接が不要である。また、補強筋が不要である。
鉄筋の鉄筋下地の溶接が不要であるので、工期の時間短縮が図れる。
中径鉄筋および太径鉄筋を鉄筋固定金具で金属柱に固定しているので、溶接による母材の強度低下を招かない。
鉄筋固定金具により、中径鉄筋および太径鉄筋を金属柱に固定するだけで良いので、熟練を要しない。
【００１０】
（請求項２について）
コンクリート止めに用いる鉄筋保持具が基礎から所定間隔ごとに立設され、各コンクリート止めに用いる鉄筋保持具の金属柱の円形穴に小径鉄筋を挿通している。
各金属柱の円形穴に小径鉄筋を挿通するだけで良いので、作業人の熟練を要しないとともに、鉄筋構造体の強度を高くできる。
【図面の簡単な説明】
【００１１】
【図１】本考案の実施例１に係るコンクリート止めに用いる鉄筋保持具を用いて鉄筋構造体を組み付ける際の工程図である。
【図２】本考案の実施例１に係るコンクリート止めに用いる鉄筋保持具を用いて鉄筋構造体を組み付ける際の工程図である。
【図３】本考案の実施例１に係るコンクリート止めに用いる鉄筋保持具の説明図である。
【図４】本考案の実施例１に係るコンクリート止めに用いる鉄筋保持具を用いて鉄筋構造体を組み付ける際の工程図である。
【図５】本考案の実施例１に係るコンクリート止めに用いる鉄筋保持具を用いて鉄筋構造体を組み付ける際の工程図である。
【図６】本考案の実施例１に係るコンクリート止めに用いる鉄筋保持具を用いて鉄筋構造体を組み付ける際の工程図である。
【実施例１】
【００１２】
本考案の実施例１（請求項１、２に対応）を図１〜図６に基づいて説明する。
図に示すコンクリート止めに用いる鉄筋保持具Ａは、基礎から所定間隔で立設される金属柱１と、太径鉄筋１０を固定するための太径鉄筋固定金具２と、中径鉄筋３１を固定するための中径鉄筋固定金具３とを備える。
【００１３】
金属柱１は、幅広の平板に複数の円形穴１１が穿設され、対向する幅狭の平板部１２、１２と幅広の平板部１３とをコ字状に曲げて一体に形成している。
なお、金属柱１の下端に太径鉄筋固定金具２が配設できない場合に備え、金属柱１の下端にアンカー板１４がネジ止め可能である（図２参照）。
【００１４】
太径鉄筋固定金具２は、対向する金具上板面板２１および金具下板面板２２と、ネジ穴２３を形成した金具前面板２４とをコ字状に曲げて一体に形成することにより、太径鉄筋３１を挿通する挿通部２０を形成している。この太径鉄筋固定金具２は、金属柱１の上部と下部に、１個ずつ配設置される（図３参照）。
【００１５】
太径鉄筋固定金具２のネジ穴２３には、挿通部２０を挿通する太径鉄筋３１を固定するための太鉄筋固定ネジ２５が螺合されている。
金具上面板２１および金具下面板２２には、金属柱１を嵌め込むための断面長方形の穴２６、２６（連通穴）が形成されている（図１参照）。
【００１６】
中径鉄筋固定金具３は、中径鉄筋３１を嵌め込んで固定する案内溝３２を有する１組の側板３３、３４と、ネジ穴３５付きの背板３６とをコ字状に曲げて一体に形成し、背板３６のネジ穴３７に螺合する金具固定用の固定ネジ３８とを有し、２つの太鉄筋固定金具２、２の間に四個、配されている（図２、３参照）。
【００１７】
つぎに、コンクリート止めに用いる鉄筋保持具Ａを用いた、コンクリート打ちについて説明する。
（１）図１の（ａ）に示す如く、基礎４の上部と下部に太径鉄筋１０、１０が水平に配され、この２本の太径鉄筋１０の間には、四本の中径鉄筋３１、３１、…３１が配されている。
基礎４の下部と上部の太径鉄筋１０、１０に、太径鉄筋固定金具２の挿通部２０を挿通させ、太鉄筋固定ネジ２５を締めつけ、太径鉄筋固定金具２を太径鉄筋１０に固定する｛図１の（ｂ）参照｝。
【００１８】
（２）図１の（ｂ）、（ｃ）に示す如く、上側の太径鉄筋固定金具２の金具上面・下面板２１、２２の穴２６、２６へ金属柱１を、下側の太径鉄筋固定金具２の金具上面・下面板２１、２２の穴２６、２６まで貫通する様に嵌め込む。
【００１９】
（３）金属柱１のアンカー板１４を基礎４にボルトで固定する｛図２の（ａ）参照｝。
なお、金属柱１は、生コンクリートの打ち込み幅９０ｃｍに対して３０ｃｍ毎に使い、合計四本、使用する。
【００２０】
（４）四本の中径鉄筋３１、３１、…３１に、中径鉄筋固定金具３の案内溝３２を嵌め込み、固定ネジ３８を締めつけて中径鉄筋固定金具３を金属柱１に固定する｛図２の（ａ）、（ｂ）、図３参照｝。
【００２１】
（５）四本のコンクリート止めに用いる鉄筋保持具Ａの各金属柱１の円形穴１１（１７個）に小径鉄筋５１（１７本）を挿通する｛図４の（ａ）、（ｂ）参照｝。
【００２２】
（６）打ち込む生コンクリートが所定容積以内になる様に、仕切り用の網６を針金で結束して取り付ける（図６参照）。
（７）網６内の区画へ生コンクリートを流し込む。
【００２３】
本実施例のコンクリート止めに用いる鉄筋保持具Ａは、下記の利点を有する。
コンクリート止めに用いる鉄筋保持具Ａは、太径鉄筋固定金具２および中径鉄筋固定金具３を用いて、太径鉄筋１０および中径鉄筋３１を金属柱１に固定している。
このため、鉄筋骨組内への生コンクリートの打ち込み作業の際に、従来必要であった、鉄筋下地への鉄筋の溶接が不要である。また、鉄筋下地への鉄筋の溶接が不要であるので、生コンクリートの打ち込み作業にかかる全工期の時間短縮が図れる。
【００２４】
コンクリート止めに用いる鉄筋保持具Ａは、中径鉄筋３１および太径鉄筋１０を、太径鉄筋固定金具２および中径鉄筋固定金具３を用いて、太径鉄筋１０および中径鉄筋３１を金属柱１に固定している。このため、コンクリート止めに用いる鉄筋保持具Ａを用いて施工した鉄筋構造体は、溶接による母材の強度低下を招かない。
【００２５】
コンクリート止めに用いる鉄筋保持具Ａは、太径鉄筋固定金具２および中径鉄筋固定金具３により、太径鉄筋１０および中径鉄筋３１を金属柱１に固定するだけで良い。このため、鉄筋骨組を施工する際に熟練を要しない。また、補強筋が不要である。
【００２６】
コンクリート止めに用いる鉄筋保持具Ａが基礎から所定間隔ごとに立設され、各コンクリート止めに用いる鉄筋保持具Ａの金属柱１の円形穴１１に小径鉄筋５１を挿通している。
各金属柱１の円形穴１１に小径鉄筋を挿通するだけで良いので、作業人の熟練を要しないとともに、溶接による母材の強度低下を招かない。
【符号の説明】
【００２７】
Ａ  コンクリート止めに用いる鉄筋保持具
１  金属柱
２  太径鉄筋固定金具
３  中径鉄筋固定金具  
１０  太径鉄筋
１１  円形穴
１２、１３  平板
１４  アンカー板
２３  ネジ穴
２５  太鉄筋固定ネジ
２６  連通穴
３１  中径鉄筋
３２  案内溝
３３、３４  側板
３５  ネジ穴
３６  背板
３８  固定ネジ
５１  小径鉄筋